(57)【要約】      （修正有）【課題】様々なメガネ構造に適用できるフレキシブル鼻パッドを用いたメガネを提供する。【解決手段】メガネは、対称的に配置され接続ビームを介して接続される左レンズアセンブリ及び右レンズアセンブリと、一端が左レンズアセンブリに配置され、他端が右レンズアセンブリに配置されるフレキシブル鼻パッド１０とを備え、フレキシブル鼻パッド１０の中央部を鼻梁の外形に合わせ、弾力性があるため、様々な人の鼻梁の外形に応じて自由に調整できる。折畳み過程において、折畳んだ後のテンプルがフレキシブル鼻パッド１０に押し付けても、フレキシブル鼻パッド１０は変形せず、テンプルがフレキシブル鼻パッド１０に押し付けなくなった時、直接元の状態に戻すことができ、折畳み過程がよりスムーズになる。折畳んだ後、折畳み済のメガネを収納ボックスに入れる必要がある時に、フレキシブル鼻パッド１０の圧迫を気にする必要がなく、携帯しやすい。【選択図】図１
0003228256.tif 000002
【実用新案登録請求の範囲】
【請求項１】
対称的に配置された左レンズアセンブリ及び右レンズアセンブリを備え、前記左レンズアセンブリと前記右レンズアセンブリとの間が接続ビームを介して接続されるフレキシブル鼻パッドを用いたメガネであって、一端が左レンズアセンブリに配置され、他端が右レンズアセンブリに配置されるフレキシブル鼻パッドをさらに備え、前記フレキシブル鼻パッドの中央部を鼻梁の外形に合わせ、弾力性を持たせることを特徴とするフレキシブル鼻パッドを用いたメガネ。
【請求項２】
前記フレキシブル鼻パッドは、一体成型構造であることを特徴とする請求項１に記載のフレキシブル鼻パッドを用いたメガネ。
【請求項３】
前記フレキシブル鼻パッドは、左レンズアセンブリと接続する左接続部材、右レンズアセンブリと接続する右接続部材、及び左接続部材と右接続部材との間に位置するフレキシブル構造を含むことを特徴とする請求項１に記載のフレキシブル鼻パッドを用いたメガネ。
【請求項４】
前記フレキシブル構造は、人体の鼻梁の前端に位置するフレキシブル円弧部及び人体の鼻梁の両端に位置するフレキシブル直線部を含むことを特徴とする請求項３に記載のフレキシブル鼻パッドを用いたメガネ。
【請求項５】
前記左接続部材及び前記右接続部材は、それぞれ左レンズアセンブリと右レンズアセンブリに接続されることを特徴とする請求項３に記載のフレキシブル鼻パッドを用いたメガネ。
【請求項６】
前記左接続部材及び前記右接続部材は、それぞれ接続ビームの両端に接続されることを特徴とする請求項３に記載のフレキシブル鼻パッドを用いたメガネ。
【請求項７】
前記左レンズアセンブリ及び前記右レンズアセンブリは、同じ構造を有し、いずれもレンズとテンプルを含むことを特徴とする請求項１に記載のフレキシブル鼻パッドを用いたメガネ。
【請求項８】
２つの前記レンズの間の接続ビームは、第１折畳み構造又は通常接続構造を採用することを特徴とする請求項７に記載のフレキシブル鼻パッドを用いたメガネ。
【請求項９】
前記テンプルの中央部は、第２折畳み構造又は通常一体型構造を採用することを特徴とする請求項７に記載のフレキシブル鼻パッドを用いたメガネ。
【請求項１０】
前記左レンズアセンブリ及び前記右レンズアセンブリは、いずれもリムをさらに含むことを特徴とする請求項７に記載のフレキシブル鼻パッドを用いたメガネ。
【考案の詳細な説明】
【技術分野】
【０００１】
本考案は、メガネの技術分野に関し、特に、フレキシブル鼻パッドを用いたメガネに関する。
【背景技術】
【０００２】
メガネを選ぶ時、ほとんどの消費者は自分のサイズに適したメガネを選び、好きなスタイルを選んでいる。しかし、従来のメガネの鼻パッドのほとんどは、硬い構造を使用している。異なる人々の鼻梁の外形が一貫していない場合、鼻パッド間の間隔を調整する必要ある、又は購入時に適応的に購入する必要がある。よって、消費者はメガネを購入する時、非常に制限される。さらに、従来の折畳み式メガネの折畳み過程において、テンプルの折畳みは鼻パッドに干渉され、折畳み過程が不便になり、時間の経過と共に鼻パッドが変形してしまう。
【考案の概要】
【考案が解決しようとする課題】
【０００３】
そこで、上記の状況に鑑みて、考案者は、フレキシブル鼻パッドを用いたメガネを具体的に設計し、本考案を達成した。
【課題を解決するための手段】
【０００４】
上記の問題を解決するために、本考案は次のような技術案を採用する。
【０００５】
様々なメガネ構造に適用できるフレキシブル鼻パッドを用いたメガネであって、対称的に配置された左レンズアセンブリ及び右レンズアセンブリを備え、前記左レンズアセンブリと前記右レンズアセンブリとの間が接続ビームを介して接続され、一端が左レンズアセンブリに配置され、他端が右レンズアセンブリに配置されるフレキシブル鼻パッドをさらに備え、前記フレキシブル鼻パッドの中央部を鼻梁の外形に合わせ、弾力性を持たせる。
【０００６】
好ましくは、前記フレキシブル鼻パッドは、一体成型構造である。
【０００７】
好ましくは、前記フレキシブル鼻パッドは、左レンズアセンブリと接続する左接続部材、右レンズアセンブリと接続する右接続部材、及び左接続部材と右接続部材との間に位置するフレキシブル構造を含む。
【０００８】
好ましくは、前記フレキシブル構造は、人体の鼻梁の前端に位置するフレキシブル円弧部及び人体の鼻梁の両端に位置するフレキシブル直線部を含む。
【０００９】
好ましくは、前記左接続部材及び前記右接続部材は、それぞれ左レンズアセンブリと右レンズアセンブリに接続される。
【００１０】
好ましくは、前記左接続部材及び前記右接続部材は、それぞれ接続ビームの両端に接続される。
【００１１】
好ましくは、前記左レンズアセンブリ及び前記右レンズアセンブリは、同じ構造を有し、いずれもレンズとテンプルを含む。
【００１２】
好ましくは、２つの前記レンズ間の接続ビームは、第１折畳み構造又は通常接続構造を採用する。
【００１３】
好ましくは、前記テンプルの中央部は、第２折畳み構造又は通常一体型構造を採用する。
【００１４】
好ましくは、前記左レンズアセンブリ及び前記右レンズアセンブリは、いずれもリムをさらに含む。
【考案の効果】
【００１５】
本考案のメガネは、左レンズアセンブリと右レンズアセンブリとの間にフレキシブル鼻パッドを配置することで、従来のメガネに比べて次のような効果がある。
【００１６】
第１、フレキシブル鼻パッドは、様々な人の鼻梁の外形に応じて自由に調整でき、ほとんどの人に適する。
【００１７】
第２、折畳み過程において、折畳んだ後のテンプルがフレキシブル鼻パッドに押し付けても、フレキシブル鼻パッドは変形せず、テンプルがフレキシブル鼻パッドに押し付けなくなった時、直接元の状態に戻すことができ、折畳み過程がよりスムーズになる。
【００１８】
第３、折畳んだ後、折畳み済のメガネを収納ボックスに入れる必要がある時に、フレキシブル鼻パッドの圧迫を気にする必要がなく、収納ボックスの内部スペースを小さくできるので、携帯しやすい。
【図面の簡単な説明】
【００１９】
ここで説明する図面は、本考案をさらに理解するために使用され、本考案の一部を構成する。本考案の概略的な実施例及びその説明は本考案を解釈するためのものであり、本考案を制限するためのものではない。
ここで
【図１】本考案によるフレキシブル鼻パッドの構造模式図である。
【図２】本考案によるフレキシブル鼻パッドの背面図である。
【図３】本考案によるフレキシブル鼻パッドの側面図である。
【図４】本考案によるフレキシブル鼻パッドの取り付け模式図である。
【考案を実施するための形態】
【００２０】
本考案の解決しようとする技術問題、技術案及び有益な効果をより明確かつより理解可能にするために、以下に、本考案について、図面及び実施例を参照しながらさらに詳しく説明する。  なお、ここで説明する具体的な実施例は本考案を解釈するためのものに過ぎず、本考案を限定するためのものではないことが理解されるべきである。
【００２１】
図１〜図４を参照すると、様々なメガネ構造に適用できるフレキシブル鼻パッドを用いたメガネは、対称的に配置の左レンズアセンブリ２０及び右レンズアセンブリ３０を備え、前記左レンズアセンブリ２０と右レンズアセンブリ３０との間が接続ビーム４０を介して接続される。メガネは、一端が左レンズアセンブリ２０に配置され、他端が右レンズアセンブリ３０に配置されるフレキシブル鼻パッド１０をさらに備え、前記フレキシブル鼻パッド１０の中央部を鼻梁の外形に合わせ、弾力性を持たせる。上記した左レンズアセンブリ２０、右レンズアセンブリ３０、及び接続ビーム４０は、図面に示された構造に限定されず、図の構造は単に例示のためのものである。
【００２２】
前記フレキシブル鼻パッド１０は、一体成型構造であり、例えば、医療用ワイヤー等の良好な弾力性を有する材料を使用して一体成型される。具体的に、前記フレキシブル鼻パッド１０は、左レンズアセンブリ２０と接続する左接続部材１１、右レンズアセンブリ３０と接続する右接続部材１２、及び左接続部材１１と右接続部材１２との間に位置するフレキシブル構造１３を含み、前記フレキシブル構造１３は、人体の鼻梁の前端に位置するフレキシブル円弧部１３１及び人体の鼻梁の両端に位置するフレキシブル直線部１３２を含み、両端のフレキシブル直線部１３２は内側に傾斜しており、鼻梁の大きな人が使用する場合、両端のフレキシブル直線部１３２は若干広がり、フレキシブル円弧部１３１は依然として人体の鼻梁の前端に支持されて下がらない。
【００２３】
本考案の左レンズアセンブリ２０と右レンズアセンブリ３０の構造は、本実施例に限定されない。例えば、
（一）左レンズアセンブリ２０と右レンズアセンブリ３０が、レンズ２１とテンプル２２のみを含む構造であってもよく、又は、
（二）レンズ２１、テンプル２２、及びリムを含む構造であってもよく、又は、
（三）テンプル２２がプラスチック構造であり、左レンズアセンブリ２０及び右レンズアセンブリ３０のリムが一体成型されたプラスチック構造であってもよい。
【００２４】
以上の構造に対応して、本考案の左接続部材と右接続部材は、図示している円弧フック状の構造に限定されるものではなく、具体的な接続方法は以下の通りである。
【００２５】
（一）構造に対し、前記左接続部材１１と右接続部材１２は、いずれもナットにより左レンズアセンブリ２０と右レンズアセンブリ３０の後方にロックされ（リムがないため、レンズ２１にしかロックできない）、左レンズアセンブリ２０と右レンズアセンブリ３０には、ボルトが配置され、同時に、左接続部材１１とナットとの間、右接続部材１２とナットとの間にはワッシャーが配置され、左接続部材１１と右接続部材１２は円弧フック状を呈しており、ボルトを直接引っ掛け、ワッシャーを押し込み、ナットとボルトとの協力でロックされ、フレキシブル鼻パッド１０を  固定する。
【００２６】
（二）構造に対し、当該構造がリムを備えるため、接続の場合、左接続部材１１と右接続部材１２を左レンズアセンブリ２０と右レンズアセンブリ３０のリムの内縁にそれぞれ直接溶接できる。その場合、左接続部材１１と右接続部材１２の形状はリムの外形に適合する。即ち、左接続部材１１とフレキシブル直線部１３２は、「Ｖ」字型のような構造を形成する。
【００２７】
（三）構造に対し、接続方法は（二）構造に類似しているが、埋め込み式の追加を採用しており、左レンズアセンブリ２０と右レンズアセンブリ３０のリムに、挿入を容易にする左接続部材１１及び右接続部材１２とそれぞれ協力する溝を設ければよい。
【００２８】
同時に、（一）及び（二）に対し、左接続部材１１と右接続部材１２の形状は、「一」字型であってもよく、接続ビーム４０の両端に直接溶接すればよい。
【００２９】
本考案のフレキシブル鼻パッド１０は、ほとんどのメガネ構造に適用でき、具体的に、前記左レンズアセンブリ２０と右レンズアセンブリ３０は、同じ構造を有し、いずれもレンズ２１とテンプル２２を含み、２つの前記レンズ２１間の接続ビーム４０は第１折畳み構造又は通常接続構造を採用し、前記テンプル２２の中央部は、第２折畳み構造又は通常一体型構造を採用する。
【００３０】
要約すると、従来のメガネに比べて、本考案のメガネは、左レンズアセンブリと右レンズアセンブリとの間にフレキシブル鼻パッドを配置することで次のような利点がある。
【００３１】
第１、フレキシブル構造は、様々な人の鼻梁の外形に応じて自由に調整でき、ほとんどの人に適する。
【００３２】
第２、折畳み過程において、折畳んだ後のテンプルがフレキシブル鼻パッドに押し付けても、フレキシブル鼻パッドは変形せず、テンプルがフレキシブル鼻パッドに押し付けなくなった時、直接元の状態に戻すことができ、折畳み過程がよりスムーズになる。
【００３３】
第３、折畳んだ後、折畳み済のメガネを収納ボックスに入れる必要がある時に、フレキシブル鼻パッドの圧迫を気にする必要がなく、収納ボックスの内部スペースを小さくできるので、携帯しやすい。
【００３４】
以上、図面を参照しながら本考案を例示的に説明したが、本考案の具体的実現は上記の形態に制限されず、本考案の構想及び技術案を利用してなされた様々な実質的ではない改善、又は改善なしに本考案の構想及び技術案を他の構造に直接適用することは、いずれも本考案の保護範囲に含まれる。
【符号の説明】
【００３５】
１０  フレキシブル鼻パッド
１１  左接続部材
１２  右接続部材
１３  フレキシブル構造
１３１  フレキシブル円弧部
１３２  フレキシブル直線部
２０  左レンズアセンブリ
２１  レンズ
２２  テンプル
３０  右レンズアセンブリ
４０  接続ビーム
【図１】
0003228256.tif 000003
【図２】
0003228256.tif 000004
【図３】
0003228256.tif 000005
【図４】
0003228256.tif 000006